(57)【要約】      （修正有）【課題】汚物から発生する悪臭を内部に強力に閉じこめ、内部に残留する気体を容易に排出することができ、該残留する気体により破裂し易くなることを防止するとともに、スペース効率よく保管することができる汚物保管袋を提供する。【解決手段】汚物保管セット１は、汚物保管袋２と、吸引ポンプ３とを備えている。汚物保管袋２は、汚物が入れられた汚物袋を内部に入れることが可能かつ該汚物袋を入れた状態で密封可能に構成された口部８と、該内部の気体を排出するための逆止弁付き排気孔９とを備えている。排気孔９は、その排気側の開口に、気体を吸引するための吸引ポンプ３の吸気口５ａが接続可能に構成されている。【選択図】図１
0003179926.tif 000002
【実用新案登録請求の範囲】
【請求項１】
汚物が入れられた汚物袋を内部に入れることが可能かつ該汚物袋を入れた状態で密封可能に構成された口部と、
該内部の気体を排出するための逆止弁付き排気孔と
を備えた汚物保管袋。
【請求項２】
前記内部には、前記汚物袋から漏れた水分を吸収するための吸水手段が設けられた請求項１記載の汚物保管袋。
【請求項３】
前記内部には、前記汚物袋から漏れた臭いを消臭するための消臭手段が設けられた請求項１又は２記載の汚物保管袋。
【請求項４】
前記排気孔は、その排気側の開口に、気体を吸引するための吸引ポンプの吸気口が接続可能に構成された請求項１〜３のいずれか一項に記載の汚物保管袋。
【請求項５】
請求項４記載の前記汚物保管袋及び前記吸引ポンプを備えた汚物保管セット。
【考案の詳細な説明】
【技術分野】
【０００１】
本考案は、においを放出する排泄物などの汚物が入った汚物袋を保管するための汚物保管袋及び汚物保管セットに関するものである。
【背景技術】
【０００２】
従来技術としては、特許文献１に記載された汚物収納袋を例示する。図４に示すように、この汚物収納袋５０は、使用済みの紙おむつ、お尻拭きや悪臭を放つ生ゴミなどの汚物５６を、その回収日までのある程度の日数手元で保管する時に臭気の発生を防止するためのものであり、活性炭シート５１と機密性シ−ト５２とが一部域又は全域的に重ね合わされた袋で、活性炭シート面が袋内側に位置してなるものである。
【先行技術文献】
【特許文献】
【０００３】
【特許文献１】特開２００１−９７５０１号公報
【考案の概要】
【考案が解決しようとする課題】
【０００４】
ところが、従来の汚物収納袋５０は、例えば積み重ねられることなどにより表面の一部が加圧されると、袋の内部に残留している空気が、加圧されていない部分に移動することにより、そこが加圧された空気で膨らんだ状態になる。そして、その膨らんだところに突起物が接触すると、汚物収納袋５０は比較的簡単に破裂してしい、そこから悪臭が放出されてしまうという課題がある。
また、汚物収納袋５０の内部に空気が残留していると、保管時に、その分余計な空間を占有してしまい、スペース効率が悪いという課題もある。
【課題を解決するための手段】
【０００５】
前記課題を解決するために、第１の考案の汚物保管袋は、
汚物が入れられた汚物袋を内部に入れることが可能かつ該汚物袋を入れた状態で密封可能に構成された口部と、
該内部の気体を排出するための逆止弁付き排気孔と
を備えている。
【０００６】
この構成によれば、前記口部を備えているので、汚物から発生する悪臭を前記内部に強力に閉じこめることができる。また、前記逆止弁付き排気孔を備えているので、前記内部に残留する気体を容易に排出することができ、該残留する気体により破裂し易くなることを防止するとともに、スペース効率よく保管することができる。
【０００７】
第２の考案の汚物保管袋としては、前記第１の考案において、
前記内部には、前記汚物袋から漏れた水分を吸収するための吸水手段が設けられた態様を例示する。
【０００８】
前記吸水手段としては、特に限定されないが、吸水剤（吸水性樹脂等）、吸水シート、吸水スポンジ等を例示する。
【０００９】
この構成によれば、前記内部で前記汚物袋が破裂したときでも、そこから漏れ出た汚物を吸水させることができる。
【００１０】
第３の考案の汚物保管袋としては、前記第１又は２の考案において、
前記内部には、前記汚物袋から漏れた臭いを消臭するための消臭手段が設けられた態様を例示する。
【００１１】
この構成によれば、前記内部で前記汚物袋が破裂したときでも、そこから漏れ出た臭いを消臭させることができる。
【００１２】
第４の考案の汚物保管袋としては、前記第１〜３のいずれかの考案において、
前記排気孔は、その排気側の開口に、気体を吸引するための吸引ポンプの吸気口が接続可能に構成された態様を例示する。
【００１３】
前記吸引ポンプの駆動方式としては、特に限定されず、手動式や電動式などを例示する。
【００１４】
この構成によれば、前記内部の気体を容易に排出することができる。
【００１５】
第５の考案の汚物保管セットとしては、前記第４の考案に係る前記汚物保管袋及び前記吸引ポンプを備えている。
【００１６】
この構成によっても、前記第４の考案と同様の効果が得られる。
【考案の効果】
【００１７】
本考案に係る汚物保管袋及び汚物保管セットによれば、汚物から発生する悪臭を内部に強力に閉じこめることができる。また、内部に残留する気体を容易に排出することができ、該残留する気体により破裂し易くなることを防止するとともに、スペース効率よく保管することができる。
【図面の簡単な説明】
【００１８】
【図１】本考案を具体化した一実施形態に係る汚物保管セットの構成を示す斜視図である。
【図２】同汚物保管セットにおける汚物保管袋の排気孔を示す図であり、（ａ）は正面図、（ｂ）は背面図、（ｃ）は断面図である。
【図３】同汚物保管セットの使用方法を示す図である。
【図４】従来の汚物収納袋に汚物が収容された状態を示す図である。
【考案を実施するための形態】
【００１９】
図１〜図３は本考案を具体化した一実施形態の汚物保管袋２を含む汚物保管セット１を示している。図１に示すように、この汚物保管セット１は、汚物保管袋２と、吸引ポンプ３とを備えている。
【００２０】
本考案による保管対象の汚物袋Ｗには、簡易トイレにて排泄された排泄物、使用済みの紙おむつ、お尻拭きや悪臭を放つ生ゴミなどの汚物が収容される。
【００２１】
汚物保管袋２は、本例ではポリエチレン及びナイロン製となっており、汚物が入れられた複数の汚物袋Ｗを内部に入れることが可能かつ該複数の汚物袋Ｗを入れた状態で密封可能に構成された口部８と、該内部の気体を排出するための逆止弁付き排気孔９と、汚物保管用の袋であることを示す表示部１３とを備えている。汚物保管袋２の色は、特に限定されないが、見た目の上では内部の汚物袋Ｗが見えにくい色とすることが好ましく、黒色とすることを例示する。本例の口部８は、開閉可能な２重のシール構造を備えたチャック８ａと、該チャックを閉じるためのスライダー８ｂとを備えている。本例の排気孔９は、図２に示すように、気体通路１２を有し、該気体通路１２には逆止弁９ｂが装着されている。逆止弁９ｂはゴム又は軟質樹脂からなっており、汚物保管袋２の内部から排出する気体の流れに対しては開き、その逆の流れに対しては閉じるようになっている。排気孔９には、その排気側の開口９ａを密封するためのスクリュー式の蓋１０が設けられている。排気側の開口９ａには、蓋１０に代えて、気体を吸引するための吸引ポンプ３の吸気口５ａが接続可能に構成されている。汚物保管袋２の内部には、汚物袋Ｗから漏れた水分を吸収するための吸水手段や汚物袋Ｗから漏れた臭いを消臭するための消臭手段などを設けておくこともできる。
【００２２】
吸引ポンプ３は、本例では、足踏み式のフットポンプを利用しており、ポンプ本体４と、ホース５とからなっている。ポンプ本体４は、吸引用ホース接続口４ａを備えており、ここにホース５の根元側５ｂを接続するようになっている。そして、ポンプ本体４が足で繰り返し踏まれると、ホース５の先端側の吸気口５ａから気体を吸引するように構成されている。吸引ポンプ３としては、汚物保管袋２の内部の気体を吸引可能なものであれば特に限定されず、手動式のシリンダーポンプなどの別の構造のものや、電動式など他の駆動方式のものを採用することもできる。
【００２３】
次に、図３を参照しながら、本例の汚物保管セット１の使用方法の一例を説明する。まず、同図（ａ）に示すように、使用済みの汚物袋Ｗを汚物保管袋２の内部にその容量一杯になるまで入れる。次いで、同図（ｂ）に示すように、口部８（２重チャック）を密封する。次いで、同図（ｃ）に示すように、ポンプ本体４にホース５を接続することにより、吸引ポンプ３を組み立てる。次いで、同図（ｄ）に示すように、汚物保管袋２の排気孔９に吸引ポンプ３の吸気口５ａを接続する。次いで、同図（ｅ）に示すように、吸引ポンプ３を足Ｆで繰り返し踏むことにより、汚物保管袋２の内部の気体を抜く。次いで、同図（ｆ）に示すように、排気孔９から吸引ポンプ３を取り外し、そこにスクリュー式の蓋１０を取り付けると、汚物袋Ｗの密封が完了する。
【００２４】
以上のように構成された本考案によれば、口部８を備えているので、汚物から発生する悪臭を汚物保管袋２の内部に強力に閉じこめることができる。また、逆止弁付き排気孔９を備えているので、同内部に残留する気体を容易に排出することができ、該残留する気体により破裂し易くなることを防止するとともに、スペース効率よく保管することができる。
【００２５】
また、汚物保管袋２の内部には、該汚物袋Ｗから漏れた水分を吸収するための吸水手段を設けることができ、そうすると、内部で汚物袋Ｗが破裂したときでも、そこから漏れ出た汚物の水分を吸水手段に吸水させることができる。
【００２６】
また、汚物保管袋２の内部には、該汚物袋Ｗから漏れた臭いを消臭するための消臭手段を設けることもでき、そうすると、内部で汚物袋Ｗが破裂したときでも、そこから漏れ出た汚物の臭いを消臭手段に消臭させることができる。
【００２７】
また、排気孔９は、その排気側の開口９ａに、気体を吸引するための吸引ポンプ３の吸気口５ａが接続可能に構成されているので、汚物保管袋２の内部の気体を容易に排出することができる。
【００２８】
なお、本考案は前記実施形態に限定されるものではなく、例えば以下に示すように考案の趣旨から逸脱しない範囲で適宜変更して具体化することもできる。
（１）汚物保管袋２の形状やサイズを適宜変更すること。
（２）汚物保管袋２の口部８の構造や配設位置を適宜変更すること。
（３）汚物保管袋２における排気孔９の構造や配設位置を適宜変更すること。
【符号の説明】
【００２９】
１    汚物保管セット
２    汚物保管袋
３    吸引ポンプ
４    ポンプ本体
４ａ  吸引用ホース接続口
５    ホース
５ａ  吸気口
５ｂ  根元側
８    口部
８ａ  チャック
８ｂ  スライダー
９    排気孔
９ａ  開口
９ｂ  逆止弁 
１０    蓋
１２    気体通路
１３    表示部
Ｗ    汚物袋
Ｆ    足
【図１】
0003179926.tif 000003
【図２】
0003179926.tif 000004
【図３】
0003179926.tif 000005
【図４】
0003179926.tif 000006